(57)【特許請求の範囲】
【請求項１】
本体２の上部に設けられた着脱穴３ａに芳香用材料を載せる芳香部５を載置し、さらに該本体２内部には該芳香部５の下方より加熱する発熱部４を有する耐熱部材からなる香炉において、
該本体２の上部に設けられた着脱穴３ａと該芳香部５の側面にねじ加工を施し該芳香部５と該本体２をねじ結合することで該発熱部４と該芳香部５との距離を無段階で変更できるようにしたことを特徴とする香炉。
【発明の詳細な説明】
【０００１】
【発明の属する技術分野】
本願発明は、香木や精油、茶葉などの芳香用材料を加熱することで芳香を発するようにした香炉に関するものである。
【０００２】
【従来の技術】
従来の香炉１００は、図１１に示すように内部に空間１０１ａを形成された本体１０１と、該本体１０１の上面１０１ｂに形成された凹状の芳香部１０２と、上記本体１０１内の空間１０１ａに設けられるロウソクや炭などの発熱部１０３とから構成され、芳香部１０２に載せられた芳香用材料１０４が芳香部１０２を介して発熱部１０３により加熱され、芳香用材料１０４が蒸発あるいは焼かれて芳香が発するようになっている。
【０００３】
【発明が解決しようとする課題】
しかしながら、上記芳香用材料は様々な種類があり、各々の芳香を十分に引き出すには芳香用材料に加える温度を適切に調節しなければならないが、上記従来の香炉は芳香用材料の種類に関係なく、芳香用材料を加熱するのみであるため、芳香用材料の芳香を十分に引き出せないと言う問題があった。
【０００４】
また、上記従来の香炉は芳香用材料を加熱するのみであるため、芳香用材料からすばやく芳香を引き出したり、芳香を持続させりする等の調整ができないと言う問題があった。
【０００５】
【課題を解決するための手段】
本願発明は、芳香用材料の種類に応じた適切な温度で加熱するようにした香炉を提案するもので、請求項１記載の発明は本体２の上部に設けられた着脱穴３ａに芳香用材料を載せる芳香部５を載置し、さらに該本体２内部には該芳香部５の下方より加熱する発熱部４とを有する耐熱部材からなる香炉において、該本体２の上部に設けられた着脱穴３ａと該芳香部５の側面にねじ加工を施し該芳香部５と該本体２をねじ結合することで該発熱部４と該芳香部５との距離を無段階で変更できるようにしたことを特徴とする香炉。
【０００８】
【発明の実施の形態】
以下、本願発明の第１実施例について図１及び図２を用いて説明する。
１は本願発明の第１実施例の香炉で、本体２と、該本体２の上面２ａに設けられた芳香部３と、上記本体２内に設置される発熱部４とからなっている。
【０００９】
上記本体２は金属あるいは磁器、セラミックス、ガラスまたは耐熱性の合成樹脂等の耐熱部材からなり、内部に空間２ｂを備えると共にドーム状に形成されている。本体２は上面２ａに芳香部３を形成し、該芳香部３には芳香用材料収納部材５を着脱自在に支持する着脱穴３ａが設けられている。
【００１０】
また、本体２の側面２ｃには上記空間２ｂに設置する発熱部４を交換するための窓２ｄや発熱部４から発せられる光を透過させて意匠性を高めるようにする窓穴２ｅを設けられている。
【００１１】
５はエッセンシャルオイルや茶葉、香木等の芳香用材料６を載せるキャップ状の芳香用材料収納部材で、ステンレスや銅等の金属あるいは磁器、セラミックス、耐熱性の合成樹脂等の耐熱部材で形成され、芳香用材料６を載せる皿部５ａと芳香部３の着脱穴３ａに着脱自在に支持される際に同穴３ａの上面に係止めされるつば部５ｂとからなっている。
【００１２】
また、上記芳香用材料収納部材５は該収納部材５に載せる芳香用材料６の種類により、その皿部５ａの長さ（高さ）が異なったものを使用できるようになっている。例えばエッセンシャルオイルなどの低い温度で芳香を発する芳香用材料６を使用する場合には図２（ａ）に示す皿部５ａの長さが短い（低い）収納部材５を用い、芳香用材料収納部材５を着脱穴３ａに支持させた際に皿部５ａの底面を発熱部４から離し、芳香用材料６（エッセンシャルオイル）が加熱されにくくして温度を低くしている。
【００１３】
上記とは逆に、香木などの高い温度で芳香を発する芳香用材料６を使用する場合には図２（ｂ）に示す皿部５ａの長さが長い（高い）収納部材５を用い、芳香用材料収納部材５を着脱穴３ａに支持させた際に皿部５ａの底面を発熱部４に近づけ、芳香用材料６（香木）を加熱して温度を高くするようにしている。
【００１４】
また、茶葉などのエッセンシャルオイルと香木の中間の温度（以下、中間温度と言う）で芳香を発する芳香用材料６を使用する場合には図２（ｃ）に示す皿部５ａの長さが上記２つの芳香用材料収納部材５の中間の長さ（以下、中間の長さと言う）の収納部材５を用い、芳香用材料収納部材５を着脱穴３ａに支持させた際に皿部５ａの底面をエッセンシャルオイルの場合より発熱部４に近づけ、芳香用材料６（茶葉）を加熱して中間温度とするようにしている。
【００１５】
つまり、芳香用材料６の種類により、それに適した芳香用材料収納部材５を芳香部３の着脱穴３ａに対し、交換して支持させて使用することによって、芳香用材料６に適した温度に調節できるため、芳香用材料６から効率良く芳香を発することができる。
【００１６】
４は本体２の空間２ｂに設置される発熱部で、上記芳香部３を載せた芳香用材料収納部材５を底面（下方）側から加熱して、収納部材５内の芳香用材料６の温度を上げ、芳香用材料６から芳香を発するものである。上記発熱部４は収納部材５並びに収納部材５に載せられた芳香用材料６を加熱できればよく、例えばロウソクを使用できるほか、熱源用電球や炭、アルコールランプ、バーナー、電熱線、セラミック半導体ヒータ（ＰＴＣヒータ）等を用いることができる。
【００１７】
次に、以上の構成からなる第１実施例の香炉１についてその使用方法を説明する。（図１及び図２参照）
まず、芳香用材料６に適した芳香用材料収納部材５を選択する。例えば芳香用材料６に茶葉を使用する場合は、中間の長さの芳香用材料収納部材５（図２（ｃ）参照）を選択し、該収納部材５の皿部５ａに茶葉を載せる。
【００１８】
つづいて、上記芳香用材料（茶葉）６を載せた芳香用材料収納部材５を本体２の上面２ａに設けられた芳香部３の着脱穴３ａに挿通し、そのつば部５ｂ着脱穴３ａの上面に係止して支持させる。その後、発熱部４のロウソクに火を灯し、本体２の窓２ｄから空間２ｂ内へ入れ、設置する。この時、ロウソクの炎が上記芳香用材料収納部材５の底面（下方）側に位置ように調節する。ロウソクの設置後、ロウソクの炎により芳香用材料収納部材５並びに収納部材５に載せた芳香用材料６が加熱され、やがて芳香用材料６から芳香が発するようになる。
【００１９】
次に、芳香部３と発熱部４との距離をスペーサ１１により任意に変更するようにした本願発明の第２実施例について図３及び図４を用いて説明する。
１０は第２実施例の香炉であり、ドーム状の本体２と、該本体２の上面２ａに設けられた芳香部３と、上記本体２内に設置される発熱部４とから構成される。なお、第１実施例と同様の本体２並びに発熱部４ついては第１実施例と同じ符号を付して説明を省略する。
【００２０】
上記芳香部３は第１実施例と同様に該部３に設けられた着脱穴３ａと、該穴３ａに対して着脱自在に支持される芳香用材料収納部材５とから構成されている。また、上記収納部材５は載せられる芳香用材料６により着脱穴３ａと収納部材５のつば部５ｂとの間にスペーサ１１を介在させて、着脱穴３ａに着脱自在に支持され、収納部材５と発熱部４との距離が調節されるようになっている。
【００２１】
１１は上記収納部材５と発熱部４との間に介在させて距離を調節する金属あるいはセラミックス等の耐熱部材からなる中空円筒形状のスペーサで、芳香用材料収納部材５に載せられる芳香用材料６の種類に応じてそれぞれ異なった高さ（厚み）のスペーサ１１を交換して使用する。例えば、低い温度で芳香を発するエッセンシャルオイルを使用する場合には、図４（ａ）に示す高い（厚みのある）スペーサ１１を収納部材５のつば部５ｂと着脱穴３ａとの間に介在させ、芳香用材料収納部材５の皿部５ａの底面を発熱部４から離し、芳香用材料６（エッセンシャルオイル）が加熱されにくくして温度を低くしている。
【００２２】
また、茶葉などの中間温度で芳香を発する芳香用材料を使用する場合は、図４（ｂ）に示す図４（ａ）の長さの略半分の長さ（厚み）のスペーサ１１をつば部５ｂと着脱穴３ａとの間に介在させ、芳香用材料収納部材５の皿部５ａの底面を上記場合より発熱部４に近づけ、芳香用材料６（茶葉）を加熱して中間温度にするようにしている。
【００２３】
さらに、香木等の高い温度で芳香を発する芳香用材料を使用する場合は、スペーサ１１を使用せず、芳香用材料収納部材５をそのまま使用する。
【００２４】
さらに、芳香部３と発熱部４との距離をネジの回し具合により任意に変更するようにした本願発明の第３実施例について図５及び図６を用いて説明する。
１５は第３実施例の香炉であり、ドーム状の本体２と、該本体２の上面２ａに設けられた芳香部３と、上記本体２内に設置される発熱部４とから構成される。なお、第１実施例と同様の本体２並びに発熱部４ついては第１実施例と同じ符号を付して説明を省略する。
【００２５】
上記第３実施例の香炉の芳香部３は図６に示すように、着脱穴３ａ並びに芳香用材料収納部材５の側面５ｃにそれぞれネジ部３ｂ、５ｄが設けられており、芳香用材料収納部材５のねじ込みの具合により芳香用材料収納部材５と発熱部４との距離を調節し、芳香用材料収納部材５に載せた芳香用材料６に適した温度にすることができる。
【００２６】
例えば、エッセンシャルオイル等の低い温度で芳香を発する芳香用材料６を使用する場合は、芳香用材料収納部材５を緩めて収納部材５を発熱部４はから離し、収納部材５芳香用材料６（エッセンシャルオイル）が加熱されにくくして温度を低くしている。
【００２７】
上記とは逆に香木などの高い温度で芳香を発する芳香用材料６を使用する場合には、芳香用材料収納部材５を締込み、収納部材５を発熱部４に近づけ、芳香用材料６（香木）を加熱して温度を高くするようにしている。
【００２８】
また、茶葉などのエッセンシャルオイルと香木の中間温度で芳香を発する芳香用材料６を使用する場合には、芳香用材料収納部材５を中間の長さまで締込み、収納部材５をエッセンシャルオイルの場合より発熱部４に近づけ、芳香用材料６（茶葉）を加熱して中間温度とするようにしている。
【００２９】
次に、発熱部４を台２１により上げ下げして芳香部３との距離を任意に変更させるようにした本願発明の第４実施例について図７及び図８を用いて説明する。２０は第４実施例の香炉であり、２は金属あるいは磁器、セラミックスまたは不燃性の合成樹脂等からなる本体で、内部に空間２ｂを設けたドーム状に形成されている。本体２は上面２ａを凹状に形成し、芳香用材料６を載せる芳香部３を設けている。
【００３０】
また、本体２の側面２ｃには上記空間２ｂに設置する発熱部４を交換するための窓２ｄや発熱部４から発せられる光を透過させて意匠性を高めるようにする窓穴５ｅを設けている。
【００３１】
４は本体２の空間２ｂに設置される発熱部で、上記芳香部３に載せた芳香用材料６を底面（下方）側から加熱して温度を上げ、芳香用材料６から芳香を発するものである。上記発熱部４は芳香部３並びに芳香部３に載せられた芳香用材料６を加熱できればよく、例えばロウソクを使用できるほか、熱源用電球や炭、アルコールランプ、バーナー、電熱線、セラミック半導体ヒータ（ＰＴＣヒータ）等を用いることができる。
【００３２】
２１は耐熱部材からなる上記発熱部４を載せる台であり、図８に示すように台２１はその高さがそれぞれ異なっており、上記台２１を交換することにより発熱部４と上記芳香部３との距離を調節し、芳香部３並びに芳香部３に載せた芳香用材料６を適温にすることができる。つまり、図８（ａ）に示すように低い台２１を使用すると、芳香部３と発熱部４との距離が遠くなって芳香部３を熱する温度が低くなるため、芳香を発するのに必要な温度が低いエッセンシャルオイルや精油等の芳香用材料６を使用する場合に用いられる。
【００３３】
また、上記とは逆に香木などの高い温度で芳香を発する芳香用材料６を使用する場合には図８（ｂ）に示す高い台２１を用いて芳香部３と発熱部４との距離を近づけ、芳香部３を熱する温度を高くするようにしている。
【００３４】
また、茶葉などのエッセンシャルオイルと香木の中間温度で芳香を発する芳香用材料６を使用する場合には図８（ｃ）に示す中間の高さの台２１を用いて芳香部３と発熱部４との距離を上記エッセンシャルオイルの場合より近づけ、芳香部３を熱する温度を高かめ、中間温度とするようにしている。
【００３５】
次に、以上の構成からなる第４実施例の香炉２０の使用方法について説明する。
まず、本体２上面の芳香部３に芳香用材料６、例えば茶葉を載せる。つづいて、茶葉を加熱するのに適した図８（ｃ）に示す中間の高さの台２１を本体２の空間２ｂ内に設置し、発熱部４であるロウソクに火を灯し、上記設置した台２１上に載せる。この時、ロウソクの炎が上記芳香部３の下側に位置するように設置する。ロウソクの設置後、ロウソクの炎により芳香部３並びに芳香部３に載せた芳香用材料６（茶葉）が加熱され、芳香用材料６（茶葉）から芳香が発するようになる。
【００３６】
なお、発熱部４を移動させて芳香部３との距離を調節する方法は上記した発熱部４を載せる台２１を交換する方法以外に、発熱部４を載せた台にネジ部を設け、このネジの締込み（回し）具合により台の高さを変化させるようにしても良い。
【００３７】
次に本願発明の第５実施例について図９及び図１０を用いて説明する。なお、第１実施例と同様の箇所（芳香部３並びに発熱部４等）については第１実施例と同じ符号を付して説明を省略する。
【００３８】
２５は本願発明の第５実施例の香炉で、金属あるいは磁器、セラミックスまたは不燃性の合成樹脂等の耐熱性材料により下面を開口した逆カップ状に形成された本体２を、同じく耐熱性材料からなる皿２６の上面２６ａに上記本体２の下面の開口部分を塞ぐようにして被せた構成をしている。
【００３９】
また、上記本体２の側面には第１実施例と同様に発熱部４から発せられる光を透過する窓穴２ｅが備えられ、該窓穴２ｅを透過した発熱部４の光が上記皿２６の上面に当たるようになっている。
【００４０】
上記皿２６の上面２６ａ側には発熱部４が設置され、本体２を被せた際に本体部２内の空間２ｂに位置するようになっている。なお、上記発熱部４として使用する電球としてはクリプトン電球あるいはハロゲンランプが用いられる。
【００４１】
【発明の効果】
本願発明は以上の構成にしたことにより、芳香用材料から発する芳香（香り）によりアロマテラピーの効果が得られることはもちろんのこと、芳香用材料の種類に応じて、芳香部と発熱部との距離を変更できるようにして、芳香用材料に適した温度（熱）にて芳香用材料を加熱できるようになったため、適度にいい芳香を引き出せるようになった。
【００４２】
また、芳香部と発熱部との距離を変更できるようになったため、芳香部を発熱部に近づけることで芳香用材料に加える温度が高くなり、芳香用材料からすばやく芳香を発するようにしたり、芳香部を発熱部から遠ざけることで芳香用材料から発する芳香を持続させることができる。
【図面の簡単な説明】
【図１】第１実施例の香炉の略断面図。
【図２】皿部の長さが異なる芳香用材料収納部材の略断面図で、（ａ）は短い芳香用材料収納部の略断面図、（ｂ）は長い芳香用材料収納部の略断面図、（ｃ）は中間の長さの芳香用材料収納部の略断面図を示す。
【図３】第２実施例の香炉の略断面図。
【図４】高さ（厚み）の異なるスペーサで、（ａ）は高い（厚みのある）スペーサの断面図、（ｂ）は（ａ）の長さの略半分の長さ（厚み）のスペーサの断面図を示す。
【図５】第３実施例の香炉の略断面図。
【図６】図５に示す第３実施例の香炉の芳香部を示す図。
【図７】第４実施例の香炉の略断面図。
【図８】高さの異なる台を示す図で、（ａ）は高さの低い台、（ｂ）は高さの高い台、（ｃ）は中間の高さの台を示す図。
【図９】第５実施例の香炉の略断面図。
【図１０】皿と本体を分離した状態の第５実施例の香炉の略断面図。
【図１１】従来の香炉の略断面図。
【符号の説明】
１    第１実施例の香炉
２    本体
３    芳香部
４    発熱部
５    芳香用材料収納部材
６    芳香用材料
１０  第２実施例の香炉
１１  スペーサ
１５  第３実施例の香炉
２０  第４実施例の香炉
２１  台
２５  第５実施例の香炉
２６  皿
【図１】
0003867227.tif 000002
【図２】
0003867227.tif 000003
【図３】
0003867227.tif 000004
【図４】
0003867227.tif 000005
【図５】
0003867227.tif 000006
【図６】
0003867227.tif 000007
【図７】
0003867227.tif 000008
【図８】
0003867227.tif 000009
【図９】
0003867227.tif 000010
【図１０】
0003867227.tif 000011
【図１１】
0003867227.tif 000012